(57)【要約】【課題】表示部を大きくして文字情報入力の操作性を良くした携帯電話機と携帯電話機の文字情報入力方法を提供する。【解決手段】本発明の携帯電話機１は、四つ折りの屏風のように、折り畳んだり、拡げたりできる四つ折り式の携帯電話機であり、第１の筺体１１の表示面には液晶タッチパネル２１が設けられ、第２の筺体１２の表示面には液晶タッチパネル２２が設けられ、第３の筺体１３の表示面には液晶タッチパネル２３が設けられ、第４の筺体１４の表示面には液晶タッチパネル２４が設けられ、携帯電話機１の各筺体を完全に開いた状態で、入力用の文字情報を液晶タッチパネル２１，２２，２３，２４に表示し、文字情報の表示と文字情報入力キーの表示を大きくして文字情報入力の操作性を向上させる。【選択図】図４
2012174261.tif 000002
【特許請求の範囲】
【請求項１】
音声入力部と音声出力部とを有する携帯電話機の文字情報入力方法であって、
上記携帯電話機が、
表示部と、この表示部の表示面上に配置されて操作者による接触があるとその接触位置を出力するタッチパネルとを含む表示一体型タッチパネル装置が設けられている筺体を複数有し、
前記複数の筺体に設けられている複数の表示一体型タッチパネル装置を用いて文字情報が入力されることを特徴とする携帯電話機の文字情報入力方法。
【請求項２】
上記複数の筺体に設けられている複数の表示一体型タッチパネル装置を用いて、上記操作者の指の大きさに適した入力用の全てのひらがなキーを表示し、当該タッチパネルを用いてひらがなの文字情報が入力されることを特徴とする請求項１に記載の携帯電話機の文字情報入力方法。
【請求項３】
音声入力部と音声出力部とを有する携帯電話機であって、
表示部と、この表示部の表示面上に配置されて操作者による接触があるとその接触位置を出力するタッチパネルとを含む表示一体型タッチパネル装置が設けられている長辺と短辺と高さとから成る略長方体の第１の筺体と、
この第１の筺体の略長方体の長辺と対峙するよう開閉自在に第１のヒンジ部を介して連結され、表示部と、この表示部の表示面上に配置されて操作者による接触があるとその接触位置を出力するタッチパネルとを含む表示一体型タッチパネル装置が設けられている長辺と短辺と高さとから成る略長方体の第２の筺体と、
この第２の筺体の略長方体の長辺と対峙するよう開閉自在に第２のヒンジ部を介して連結され、表示部と、この表示部の表示面上に配置されて操作者による接触があるとその接触位置を出力するタッチパネルとを含む表示一体型タッチパネル装置が設けられている長辺と短辺と高さとから成る略長方体の第３の筺体と、
この第３の筺体の略長方体の長辺と対峙するよう開閉自在に第３のヒンジ部を介して連結され、表示部と、この表示部の表示面上に配置されて操作者による接触があるとその接触位置を出力するタッチパネルとを含む表示一体型タッチパネル装置が設けられている長辺と短辺と高さとから成る略長方体の第４の筺体と、
を有し、
前記第１の筺体と前記第２の筺体と前記第３の筺体と前記第４の筺体とが、前記第１のヒンジ部と前記第２のヒンジ部と前記第３のヒンジ部とを介して開かれた際、文字情報が入力されることを特徴とする携帯電話機。
【発明の詳細な説明】
【技術分野】
【０００１】  この発明は、例えば携帯電話機において文字情報入力を容易にした携帯電話機と携帯電話機の文字情報入力方法に関する。
【背景技術】
【０００２】  従来、携帯電話機では１２個ほどのキーに、数字、かな文字、英字を設定し、入力モードを切り替えるモードキーを用いてモード変更し、数字入力モード、かな入力モード、英字入力モード等に切り替えて入力している。
このような携帯電話機では、キーが小さい上に何回もキーを押さなければならないので指の疲労が激しく、キーが小さいこともあって例えば高齢者も敬遠するものとなっている。【０００３】  携帯電話機では特にキー打鍵回数が多くなり入力操作性が悪いということでキー数を少なくして入力するキー入力方法が提案されている（例えば特許文献１）。
また、二つ折り式携帯電話機にして表示部とキー部（入力部）とを分けてキー部における個々のキーを大きくしたものもある（例えば特許文献２）【０００４】  しかしながら、二つ折り式携帯電話機にしても、表示部はまだまだ小さく、キー部も小さく、例えば特に高齢者には表示部の文字を見るのも、キー部から文字を入力するのも煩わしく操作性が悪かった。
【先行技術文献】
【特許文献】
【０００５】
【特許文献１】  特許公開２００５−４５００号公報
【特許文献２】  特許公開２００４−４８７１９号公報
【発明の概要】
【発明が解決しようとする課題】
【０００６】  上記したように、携帯電話機における表示部と入力部が小さく、表示部の文字を見るのも、入力部から文字を入力するのも煩わしく操作性が悪いという課題があった。
この発明の目的は、表示部を大きくして文字情報入力の操作性を良くした携帯電話機と携帯電話機の文字情報入力方法を提供することである。
【課題を解決するための手段】
【０００７】  そこで、本発明は、音声入力部と音声出力部とを有する携帯電話機の文字情報入力方法であって、上記携帯電話機が、表示部と、この表示部の表示面上に配置されて操作者による接触があるとその接触位置を出力するタッチパネルとを含む表示一体型タッチパネル装置が設けられている筺体を複数有し、前記複数の筺体に設けられている複数の表示一体型タッチパネル装置を用いて文字情報が入力されるようにしたものである。
【発明の効果】
【０００８】  本発明は、表示部を大きくして文字情報入力の操作性を良くした携帯電話機と携帯電話機の文字情報入力方法を提供することが可能となる。
【図面の簡単な説明】
【０００９】
【図１】本発明の実施の形態が適用可能な携帯電話機の一例を示す外観図。
【図２】図１に示す携帯電話機をＡ方向から見た状態を示す外観図。
【図３】図１に示す携帯電話機をＡ方向から見て半分開いた状態を示す外観図。
【図４】携帯電話機の各筺体を完全に開いた状態を示す外観図。
【図５】携帯電話機の液晶タッチパネルに数字を表示した例を示す図。
【図６】携帯電話機の液晶タッチパネルにひらがなを表示した例を示す図。
【図７】携帯電話機の液晶タッチパネルにアルファベットを表示した例を示す図。
【発明を実施するための形態】
【００１０】  図１は、この発明に係る携帯電話機１の外観構成を示すものである。すなわち、この携帯電話機１のおもて面には、音声を入力するためのマイクが配置された音声入力部１０と、音声を出力するためのスピーカが配置された音声出力部２０が設けられている。
【００１１】  図２は、携帯電話機１を図１のＡ方向から見たものである。携帯電話機１は、第１の筺体１１と、第２の筺体１２と、第３の筺体１３と、第４の筺体１４とから構成されている。
第１の筺体１１と第２の筺体１２とが対峙するよう開閉自在にヒンジ部２を介して連結され、第２の筺体１２と第３の筺体１３とが対峙するよう開閉自在にヒンジ部３を介して連結され、第３の筺体１３と第４の筺体１４とが対峙するよう開閉自在にヒンジ部４を介して連結されている。
なお、第１の筺体１１に上記音声入力部１０と音声出力部２０とが設けられている。
【００１２】  図３は、携帯電話機１の各筺体を半開き状態にして図１のＡ方向から見たものである。第１の筺体１１と第２の筺体１２と第３の筺体１３と第４の筺体１４とで略Ｗの文字に似た状態となる。
第１の筺体１１と第２の筺体１２とはヒンジ部２を介して矢印ａ方向へ開くことができる。第２の筺体１２と第３の筺体１３とはヒンジ部３を介して矢印ｂ方向へ開くことができる。第３の筺体１３と第４の筺体１４とはヒンジ部４を介して矢印ｃ方向へ開くことができる。
【００１３】  すなわち、本発明の携帯電話機１は、四つ折りの屏風のように、折り畳んだり、拡げたりできる四つ折り式の携帯電話機である。
第１の筺体１１の表示面には、液晶表示装置及びその上に積層された静電容量式タッチパネルとからなる表示一体型タッチパネル装置である液晶タッチパネル２１が設けられている。
第２の筺体１２の表示面には、液晶表示装置及びその上に積層された静電容量式タッチパネルとからなる表示一体型タッチパネル装置である液晶タッチパネル２２が設けられている。
第３の筺体１３の表示面には、液晶表示装置及びその上に積層された静電容量式タッチパネルとからなる表示一体型タッチパネル装置である液晶タッチパネル２３が設けられている。
第４の筺体１４の表示面には、液晶表示装置及びその上に積層された静電容量式タッチパネルとからなる表示一体型タッチパネル装置である液晶タッチパネル２４が設けられている。
【００１４】  図４は、携帯電話機１の各筺体を完全に開いた状態を示すものである。図４において、上述したように、第１の筺体１１は液晶タッチパネル２１、第２の筺体１２は液晶タッチパネル２２、第３の筺体１３は液晶タッチパネル２３、第４の筺体１４は液晶タッチパネル２４とを有している。
【００１５】  図５は、携帯電話機１の各筺体を完全に開いた状態で、入力用の数字を液晶タッチパネル２１，２２，２３，２４に表示させ、数字表示と数字キー（文字情報）表示とを大きくして数字入力の操作性を向上させたものである。なお、液晶タッチパネル２１，２２，２３，２４は、数字キーが互いに関連して表示されて入力される。
【００１６】  図６は、携帯電話機１の各筺体を完全に開いた状態で、入力用の全てのひらがなを液晶タッチパネル２１，２２，２３，２４に表示させ、ひらがな表示とひらがなキー（文字情報）表示とを大きくしてひらがな入力の操作性を向上させたものである。なお、液晶タッチパネル２１，２２，２３，２４は、ひらがなキーが互いに関連して表示されて入力される。
【００１７】  図７は、携帯電話機１の各筺体を完全に開いた状態で、入力用のアルファベットを液晶タッチパネル２１，２２，２３，２４に表示させ、アルファベット表示とアルファベットキー（文字情報）表示とを大きくしてアルファベット入力の操作性を向上させたものである。なお、液晶タッチパネル２１，２２，２３，２４は、アルファベットキーが互いに関連して表示されて入力される。
なお、図５、図６、図７の表示は例であって、どのように文字情報入力キーを表示させてもよく、要は、大きい文字で、大きいキーを表示すれば操作性が向上するのである。
例えば、アルファベットキーの表示の場合、Ａ方向を上にして液晶タッチパネル２１，２２，２３，２４の表示を組み合わせて表示下部（図７上でＡ方向の下方）にキーボードと同じ配列でアルファベットキーを表示するようにしてもよい。
【００１８】  以上説明したように上記発明の実施の形態によれば、携帯電話機を四つ折り式にして液晶タッチパネルを４つ有し、大きい文字表示、大きいキー表示をすることにより、操作性を向上させることができる。
また、携帯電話機と同じようなＰＨＳ等の携帯端末に応用することも可能である。
また、英語のアルファベットだけでなく、ドイツ語、ハングル語等の外国語文字（文字情報）にも対応することができる。
さらに、４つの液晶タッチパネルを用いることにより、通常の人の指の大きさに適した文字情報入力キーを表示することができる。
また、近年、スマートフォンの供給が増大しているが、スマートフォンに表示される文字情報キーではまだ通常の人の指の大きさに適した文字情報入力キーとはならない。
なお、上記実施の形態では、表示部に液晶表示装置を用いたが有機ＥＬの表示装置でもよく、要は薄型で表示できればよい。また、静電容量式タッチパネルを設けたが透明で位置が特定できるパネルを積層して入力できるようにしてもよく、要は薄くて表示を妨げなければよい。
【００１９】  なお、本願発明は、上記実施形態に限定されるものではなく、実施段階ではその要旨を逸脱しない範囲で種々に変形することが可能である。また、実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００２０】  １…携帯電話機、２，３，４…ヒンジ部、１０…音声入力部、１１…第１の筺体、１２…第２の筺体、１３…第３の筺体、１４…第４の筺体、２０…音声出力部、２１，２２，２３，２４…液晶タッチパネル（表示一体型タッチパネル装置）。
【図１】
2012174261.tif 000003
【図２】
2012174261.tif 000004
【図３】
2012174261.tif 000005
【図４】
2012174261.tif 000006
【図５】
2012174261.tif 000007
【図６】
2012174261.tif 000008
【図７】
2012174261.tif 000009